(57)【要約】提示ユニット上に支持された試料容器からの試料を処理する計器のためのユーザーインターフェース。ユーザーインターフェースは、提示ユニットの図形的表現を含む提示ユニット表示を含む。提示ユニット表示は、計器による試料の処理のための命令を定義する、それに対する入力を受信する。提示ユニット表示はまた、試料が処理されている間、状態を表示する。提示ユニットの一例は、カルーセルである。カルーセルは、しばしば、円形の構成を有し、内部に形成された容器位置を含み、容器位置は、試料容器を内部に受容するような大きさで位置付けられている。試料が計器内に導入され、計器によって評価され得るように、回転台を使用してカルーセル及び試料容器を回転させる。
2017513023.tif 000002
【特許請求の範囲】
【請求項１】
試料を分析するように構成された計器と、
前記計器によって分析される試料を収容する複数の試料容器を支持するように構成されたカルーセルと、
ディスプレイを含む計算デバイスと、を備える計器システムであって、前記計算デバイスは、カルーセル表示を含むユーザーインターフェースを生成するように構成され、前記カルーセル表示は、前記カルーセルの図形的表現を含み、前記カルーセル表示は、前記計器による前記試料の分析のための命令を定義する入力をオペレーターから受信するように構成されている、計器システム。
【請求項２】
ポインタ入力デバイスを更に備え、前記入力のうちの少なくともいくつかは、前記ポインタ入力デバイスを通じて前記オペレーターから受信される、請求項１に記載の計器システム。
【請求項３】
前記カルーセルの前記図形的表現は、
カルーセル本体と、
外周部沿いに配置された容器位置と、
前記容器位置のうちの少なくとも１つの中に配置された少なくとも１つの試料容器と、の図形的表現を含む、請求項１に記載の計器システム。
【請求項４】
前記試料容器の前記図形的表現は、前記試料容器のために定義されたプロトコルを表す色によって色コードされている、請求項３に記載の計器システム。
【請求項５】
前記試料容器の前記図形的表現は、前記試料容器に関連付けられた試料が前記計器によって分析されたことを示す完了アイコンを含む、請求項１に記載の計器システム。
【請求項６】
前記図形的表現は、複数の試料容器を含み、共通のプロトコルを割り当てられた試料容器は、共通の色を有し、異なるプロトコルを割り当てられた試料容器は、異なる色を有する、請求項４に記載の計器システム。
【請求項７】
前記図形的表現は、前記容器位置のうちの少なくともいくつかに近接したラベルを更に含み、前記ラベルは、前記近接した容器位置に関連付けられたテキストベースの情報を表示する、請求項３に記載の計器システム。
【請求項８】
共通の色を有する試料容器は、連結され、前記連結された試料容器のうちの１つのプロトコルを調節すると、他の連結された試料容器のプロトコルが調節される結果となる、請求項１に記載の計器システム。
【請求項９】
前記命令のうちの少なくとも１つは、前記計器をもって、前記命令に基づいて前記カルーセルを回転させる、請求項１に記載の計器システム。
【請求項１０】
前記ユーザーインターフェースは、複数の行及び列を含むデータ仕様グリッドを更に含み、前記列のうちの少なくともいくつかは、前記カルーセルの容器位置に関連付けられている、請求項１に記載の計器システム。
【請求項１１】
前記計器は、フローサイトメーターである、請求項１に記載の計器システム。
【請求項１２】
表示デバイスと、
少なくとも１つの処理デバイスと、
少なくとも１つのコンピュータ読み取り可能な記憶デバイスと、を備える計算デバイスであって、前記コンピュータ読み取り可能な記憶デバイスは、データ命令を記憶し、前記データ命令は、前記少なくとも１つの処理デバイスによって実行されるとき、前記少なくとも１つの処理デバイスをもって、
前記表示デバイス上に、計器のカルーセルの図形的表現を含むユーザーインターフェースを生成することと、
入力を受信することであって、前記入力のうちの少なくとも１つは、前記カルーセルの前記図形的表現の中へ提供され、前記入力は、前記計器による試料の分析のための命令を定義する、受信することと、を行わせる、計算デバイス。
【請求項１３】
前記カルーセルの前記図形的表現は、カルーセル本体と、前記カルーセル本体内の複数の容器位置との図形的表現を含む、請求項１２に記載の計算デバイス。
【請求項１４】
前記少なくとも１つの入力は、前記容器位置のうちの１つの上に直接提供される選択入力である、請求項１３に記載の計算デバイス。
【請求項１５】
前記入力は、前記計算デバイスのタッチ感応性表示デバイスによって受信されるタップ入力である、請求項１４に記載の計算デバイス。
【請求項１６】
前記入力は、ポインタを前記カルーセルの前記図形的表現の上に移動させてクリック、タップ、又はプレスから選択される選択入力を提供することによって、マウス、タッチパッド、又はトラックボールから選択されるポインタ入力デバイスを通じて受信される、請求項１４に記載の計算デバイス。
【請求項１７】
前記少なくとも１つの入力は、第１の容器位置から第２の容器位置へのドラッグアンドドロップ入力であり、前記ドラッグアンドドロップ入力の受信後、前記第１の容器位置に関連付けられたプロトコルが前記第２の容器位置に移転される、請求項１２に記載の計算デバイス。
【請求項１８】
計器を操作する方法であって、
カルーセル内に支持された試料容器内に収容される１つ又は２つ以上の試料を、前記計器によって処理することと、
前記１つ又は２つ以上の試料の前記処理中に計算デバイスによってユーザーインターフェースを生成することであって、前記ユーザーインターフェースは、前記カルーセルの図形的表現を含むカルーセル表示を含み、前記カルーセル表示は、前記１つ又は２つ以上の試料の前記処理の現在の状態を示す、生成することと、を含む、方法。
【請求項１９】
前記カルーセルの前記図形的表現は、少なくとも１つの次元において表示デバイスの閲覧可能面の少なくとも大部分にわたって延在する、請求項１８に記載の方法。
【請求項２０】
前記カルーセル表示は、前記１つ又は２つ以上の試料の前記処理の前記現在の状態を示す、前記計器によって処理された各試料容器のための完了アイコンを含む、請求項１８に記載の方法。
【請求項２１】
試料を分析するように構成された計器と、
前記計器によって分析される試料を収容する複数の試料容器を支持するように構成された提示ユニットと、
ディスプレイを含む計算デバイスと、を備える計器システムであって、前記計算デバイスは、提示ユニット表示を含むユーザーインターフェースを生成するように構成され、前記提示ユニット表示は、前記提示ユニットの図形的表現を含み、前記提示ユニット表示は、前記計器による前記試料の分析のための命令を定義する入力をオペレーターから受信するように構成されている、計器システム。
【請求項２２】
ポインタ入力デバイスを更に備え、前記入力のうちの少なくともいくつかは、前記ポインタ入力デバイスを通じて前記オペレーターから受信される、請求項２１に記載の計器システム。
【請求項２３】
前記提示ユニットの前記図形的表現は、
提示ユニット本体と、
外周部沿いに配置された容器位置と、
前記容器位置のうちの少なくとも１つの中に配置された少なくとも１つの試料容器と、の図形的表現を含む、請求項２１に記載の計器システム。
【請求項２４】
前記試料容器の前記図形的表現は、前記試料容器のために定義されたプロトコルを表す色によって色コードされている、請求項２３に記載の計器システム。
【請求項２５】
前記試料容器の前記図形的表現は、前記試料容器に関連付けられた試料が前記計器によって分析されたことを示す完了アイコンを含む、請求項２１に記載の計器システム。
【請求項２６】
前記図形的表現は、複数の試料容器を含み、共通のプロトコルを割り当てられた試料容器は、共通の色を有し、異なるプロトコルを割り当てられた試料容器は、異なる色を有する、請求項２４に記載の計器システム。
【請求項２７】
前記図形的表現は、前記容器位置のうちの少なくともいくつかに近接したラベルを更に含み、前記ラベルは、前記近接した容器位置に関連付けられたテキストベースの情報を表示する、請求項２３に記載の計器システム。
【請求項２８】
共通の色を有する試料容器は、連結され、前記連結された試料容器のうちの１つのプロトコルを調節すると、他の連結された試料容器のプロトコルが調節される結果となる、請求項２１に記載の計器システム。
【請求項２９】
前記命令のうちの少なくとも１つは、前記計器をもって、前記命令に基づいて前記提示ユニットを回転させる、請求項２１に記載の計器システム。
【請求項３０】
前記ユーザーインターフェースは、複数の行及び列を含むデータ仕様グリッドを更に含み、前記列のうちの少なくともいくつかは、前記提示ユニットの容器位置に関連付けられている、請求項２１に記載の計器システム。
【請求項３１】
前記計器は、フローサイトメーターである、請求項２１に記載の計器システム。
【請求項３２】
前記提示ユニットは、カルーセル、ラック、プレート、及びトレーから選択される、請求項２１に記載の計器システム。
【請求項３３】
前記提示ユニットは、複数の容器位置を備え、前記容器位置は、円形状配置、行、グリッド、及び蛇行配置のうちの１つによって配置されている、請求項２１に記載の計器システム。
【請求項３４】
表示デバイスと、
少なくとも１つの処理デバイスと、
少なくとも１つのコンピュータ読み取り可能な記憶デバイスと、を備える計算デバイスであって、前記コンピュータ読み取り可能な記憶デバイスは、データ命令を記憶し、前記データ命令は、前記少なくとも１つの処理デバイスによって実行されるとき、前記少なくとも１つの処理デバイスをもって、
前記表示デバイス上に、計器の提示ユニットの図形的表現を含むユーザーインターフェースを生成することと、
入力を受信することであって、前記入力のうちの少なくとも１つは、前記提示ユニットの前記図形的表現の中へ提供され、前記入力は、前記計器による試料の分析のための命令を定義する、受信することと、を行わせる、計算デバイス。
【請求項３５】
前記提示ユニットの前記図形的表現は、提示ユニット本体と、前記提示ユニット本体内の複数の容器位置との図形的表現を含む、請求項３４に記載の計算デバイス。
【請求項３６】
前記少なくとも１つの入力は、前記容器位置のうちの１つの上に直接提供される選択入力である、請求項３５に記載の計算デバイス。
【請求項３７】
前記入力は、前記計算デバイスのタッチ感応性表示デバイスによって受信されるタップ入力である、請求項３６に記載の計算デバイス。
【請求項３８】
前記入力は、ポインタを前記提示ユニットの前記図形的表現の上に移動させてクリック、タップ、又はプレスから選択される選択入力を提供することによって、マウス、タッチパッド、又はトラックボールから選択されるポインタ入力デバイスを通じて受信される、請求項３６に記載の計算デバイス。
【請求項３９】
前記少なくとも１つの入力は、第１の容器位置から第２の容器位置へのドラッグアンドドロップ入力であり、前記ドラッグアンドドロップ入力の受信後、前記第１の容器位置に関連付けられたプロトコルが前記第２の容器位置に移転される、請求項３４に記載の計算デバイス。
【請求項４０】
計器を操作する方法であって、
提示ユニット内に支持された試料容器内に収容される１つ又は２つ以上の試料を、前記計器によって処理することと、
前記１つ又は２つ以上の試料の前記処理中に計算デバイスによってユーザーインターフェースを生成することであって、前記ユーザーインターフェースは、前記提示ユニットの図形的表現を含む提示ユニット表示を含み、前記提示ユニット表示は、前記１つ又は２つ以上の試料の前記処理の現在の状態を示す、生成することと、を含む、方法。
【請求項４１】
前記提示ユニットの前記図形的表現は、少なくとも１つの次元において表示デバイスの閲覧可能面の少なくとも大部分にわたって延在する、請求項４０に記載の方法。
【請求項４２】
前記提示ユニット表示は、前記１つ又は２つ以上の試料の前記処理の前記現在の状態を示す、前記計器によって処理された各試料容器のための完了アイコンを含む、請求項４０に記載の方法。
【発明の詳細な説明】
【背景技術】
【０００１】
（関連出願の相互参照）
本出願は、２０１５年３月１８日にＰＣＴ国際特許出願として提出され、２０１４年３月２０日に提出された米国特許出願番号第６１／９５５，９５６号の優先権を主張し、その開示の全体が、参照により本明細書に組み込まれる。
【０００２】
フローサイトメーターは、試料の分析を行う計器の一例である。いくつかの場合には、計器は、複数の試料を受容することができる。試料の各々は、試験管等の試料容器内に収容される。試料容器は、カルーセルと一般に呼ばれる支持構造体内に設けられる。カルーセルは、その中に収容された試料を計器が選択的に処理及び分析できるように、試料容器を整然と保持する。
【０００３】
計器が各試料を適切に分析するために、オペレーターは、試料がどのように処理されるべきかを定義する命令を計器に対して提供する。いくつかの計器では、行及び列を有するテーブル構造を含むユーザーインターフェースが設けられており、これを通じて命令が計器に提供される。試料容器それ自体は対応するテーブル構造に配置されていないため、オペレーターがテーブル構造に命令を入力しているときにエラーが発生し得る。
【発明の概要】
【課題を解決するための手段】
【０００４】
大まかに言えば、本開示は、計器用のユーザーインターフェースを対象とする。１つの可能な構成において、非限定的な実施例によれば、ユーザーインターフェースは、計器に命令を提供するための提示ユニット表示を含む。提示ユニット表示は、計器の提示ユニットに似た外見を有し、ユーザーが提示ユニット表示と試料を収容する提示ユニットとを容易に比較することを可能にする。以下の態様を含むが、これらに限定されない様々な態様が本開示に記載される。
【０００５】
一態様は、試料を分析するように構成された計器と、計器によって分析される試料を収容する複数の試料容器を支持するように構成されたカルーセルと、ディスプレイを含む計算デバイスとを備える計器システムであって、計算デバイスは、カルーセル表示を含むユーザーインターフェースを生成するように構成され、カルーセル表示は、カルーセルの図形的表現を含み、カルーセル表示は、計器による試料の分析のための命令を定義する入力をオペレーターから受信するように構成されている計器システムである。
【０００６】
別の態様は、表示デバイスと、少なくとも１つの処理デバイスと、少なくとも１つのコンピュータ読み取り可能な記憶デバイスとを備える計算デバイスであって、コンピュータ読み取り可能な記憶デバイスは、データ命令を記憶し、データ命令は、少なくとも１つの処理デバイスによって実行されるとき、少なくとも１つの処理デバイスをもって、表示デバイス上に計器のカルーセルの図形的表現を含むユーザーインターフェースを生成することと、入力を受信することであって、入力のうちの少なくとも１つは、カルーセルの図形的表現の中へ提供され、入力は、計器による試料の分析のための命令を定義する、受信することと、を行わせる、計算デバイスである。
【０００７】
更なる態様は、計器を操作する方法であって、カルーセル内に支持された試料容器内に収容される１つ又は２つ以上の試料を、計器によって処理することと、１つ又は２つ以上の試料の処理中に計算デバイスによってユーザーインターフェースを生成することであって、ユーザーインターフェースは、カルーセルの図形的表現を含むカルーセル表示を含み、カルーセル表示は、１つ又は２つ以上の試料の処理の現在の状態を示す、生成することと、を含む、方法である。
【０００８】
別の態様は、試料を分析するように構成された計器と、計器によって分析される試料を収容する複数の試料容器を支持するように構成された提示ユニットと、ディスプレイを含む計算デバイスと、を備える計器システムであって、計算デバイスは、提示ユニット表示を含むユーザーインターフェースを生成するように構成され、提示ユニット表示は、提示ユニットの図形的表現を含み、提示ユニット表示は、計器による試料の分析のための命令を定義する入力をオペレーターから受信するように構成されている、計器システムである。
【０００９】
更なる態様は、表示デバイスと、少なくとも１つの処理デバイスと、少なくとも１つのコンピュータ読み取り可能な記憶デバイスとを備える計算デバイスであって、コンピュータ読み取り可能な記憶デバイスは、データ命令を記憶し、データ命令は、少なくとも１つの処理デバイスによって実行されるとき、少なくとも１つの処理デバイスをもって、表示デバイス上に計器のカルーセルの図形的表現を含むユーザーインターフェースを生成することと、入力を受信することであって、入力のうちの少なくとも１つは、提示ユニットの図形的表現の中へ提供され、入力は、計器による試料の分析のための命令を定義する、受信することと、を行わせる、計算デバイスである。
【００１０】
更に別の態様は、計器を操作する方法であって、提示ユニット内に支持された試料容器内に収容される１つ又は２つ以上の試料を、計器によって処理することと、１つ又は２つ以上の試料の処理中に計算デバイスによってユーザーインターフェースを生成することであって、ユーザーインターフェースは、提示ユニットの図形的表現を含む提示ユニット表示を含み、提示ユニット表示は、１つ又は２つ以上の試料の処理の現在の状態を示す、生成することと、を含む、方法である。
【図面の簡単な説明】
【００１１】
【図１】計器システムの実施例を図示する概略図である。
【図２】例示的な計器の概略ブロック図である。
【図３】例示的なカルーセルの斜視図である。
【図４】計算デバイスの実施例の概略ブロック図である。
【図５】図４に示される計算デバイスによって実行可能な計器インターフェースエンジンの実施例を図示する概略ブロック図である。
【図６】図５に示される計器インターフェースエンジンの例示的な動作モードを図示する流れ図である。
【図７】図４の計器インターフェースエンジンが設定モードで動作しているときの例示的なユーザーインターフェースを図示する概略図である。
【図８】図７に示されるユーザーインターフェースのカルーセルインターフェース表示領域の実施例を図示する概略図である。
【図９】設定モードで動作しており、完了したワークリストを含む、図７に示される例示的なユーザーインターフェースの別の概略図である。
【図１０】運転モードで動作している図７に示されるユーザーインターフェースの実施例を図示する概略図である。
【図１１】拡張表示モードで動作している、カルーセルインターフェース表示領域を含む例示的なユーザーインターフェースを図示する概略図である。
【図１２】カルーセルインターフェース表示領域の別の実施例を図示する概略図である。
【発明を実施するための形態】
【００１２】
様々な実施形態が図面を参照して詳細に説明され、図面中、同様の参照番号は、いくつかの図を通して同様の部品及びアセンブリを表す。様々な実施形態への言及は、本明細書に添付された特許請求の範囲を限定するものではない。加えて、本明細書に述べられるいかなる例も、限定することを意図するものではなく、添付の特許請求の範囲に対する多数の可能な実施形態のうちのいくつかについて述べたもの過ぎない。
【００１３】
本開示は、提示ユニット表示を有するユーザーインターフェースに関する。いくつかの実施形態では、提示ユニット表示は、提示ユニットの図形的表現を含む。提示ユニットは、例えば、試料を計器に提示するように構成された支持構造体である。提示ユニットの一例は、カルーセルである。カルーセルは、しばしば、円形の構成を有し、内部に形成された容器位置を含み、容器位置は、試料容器を内部に受容するような大きさで位置付けられている。試料が計器内に導入され、計器によって評価され得るように、回転台を使用してカルーセル及び試料容器を回転させる。提示ユニットの他の実施例としては、試料ラック、プレート、及びトレーが挙げられる。ラック、プレート、及びトレーもまた、正方形若しくは方形の形状、又は他の可能な形状を有する等の、支持構造体を含んでいる。ラック、プレート、及びトレーは、円形状配置、行、グリッド（複数の行及び列を有する等）、蛇行配置、又は他の可能な配置で配置された等の、内部に形成された容器位置を含んでいてもよい。以下の開示は、提示ユニットがカルーセルである例示的な実施形態を主として参照する。同じ又は類似の原則、特長、構造、システム、及び方法が、試料ラック、プレート、及びトレー、並びに対応する提示ユニット表示等の他の提示ユニットを本開示に従って利用する他の実施形態でも使用され得る。
【００１４】
図１は、例示的な計器システム１００を図示する概略図である。この実施例では、計器システムは、計器１０２、カルーセル１０４、及び計算デバイス１０６を含む。いくつかの実施形態では、システム１０２は、試料搭載領域１０７を含む。いくつかの実施形態では、計算デバイス１０６は、コンピュータ１０８及び表示デバイス１１０を含む。いくつかの実施形態では、コンピュータ１０８は、表示デバイス１１０上にユーザーインターフェース１１４を生成する計器インターフェースエンジン１１２を含む。更に、いくつかの実施形態では、ユーザーインターフェース１１４は、カルーセル表示１１６を含む。
【００１５】
計器１０２は、試料の分析を行うデバイスである。一実施例では、計器１０２は、フローサイトメーターである。他の実施形態としては、化学分析器及び血液検査器等の他の種類の計器が挙げられる。計器１０２は、典型的には、カルーセル１０４を受信するか、又は受信するように構成された試料搭載領域１０７を含む。１つ又は２つ以上の試料が、カルーセル１０４上の試験管等の試料容器内に配置され、計器１０２は、試料容器から試料を抽出して試料を分析する。本明細書で使用される場合、試料は、カルーセル１０４に提供される試料容器の内容物である。試料の例としては、血液、尿、海水、淡水、並びに溶解、凝固、及び遠心分離された試料を含む調製／処理された試料が挙げられる。いくつかの試料は、試料粒子を含有する。試料粒子の例としては、ビーズ、細菌、酵母、プランクトン、微小粒子（例えば、細胞の形質膜からの）、ミトコンドリア、ウィルス及び細胞（白血球細胞、末梢上皮細胞、及び循環腫瘍細胞を含む）、並びに標識された粒子及び細胞（蛍光染料と複合された抗体によって標識された細胞を含む）が挙げられる。いくつかの実施形態では、試料には、計器１０２によって分析される所望の粒子が含まれるが、本明細書で使用される場合、試料は、計器１０２によってそれ自体分析されることが意図されない洗浄流体等の、計器システム１００によって使用される物質であってもよい。いくつかの実施形態は、試料をカルーセル１０４から自動的に抽出するように動作する自動試料搭載器を含む。計器１０２の一例を図２に示す。
【００１６】
カルーセル１０４は、複数の試料容器を支持して、その中に収容された試料を計器１０２が処理することを可能にするように構成される。いくつかの実施形態では、カルーセルは、計器１０２の自動試料搭載器の取り外し可能な部分である。カルーセル１０４の一例を図３に示す。
【００１７】
計算デバイス１０６は、少なくとも１つの処理デバイス及び少なくとも１つのコンピュータ読み取り可能な記憶デバイスを含み、計器１０２の動作のうちの少なくともいくつかを制御するように動作する。いくつかの実施形態では、計算デバイス１０６は、１つ若しくは２つ以上の電気ケーブルを通じて、又は無線通信デバイスを通じて無線によって等で、計器１０２とデータ通信している。他の実施形態では、計算デバイス１０６は、計器１０２に統合されている。
【００１８】
図示されている実施例では、計算デバイス１０６は、コンピュータ１０８及び表示デバイス１１０を含む。コンピュータは、デスクトップコンピュータ、ラップトップコンピュータ、タブレットコンピュータ、スマートフォン、着用型計算デバイス、又は他の形態等の、様々な異なる形態のものであってよい。表示デバイス１１０は、コンピュータ１０８の一部又はコンピュータモニタ等の別個のデバイスであってもよい。計算デバイス１０６にはまた、本明細書において更に詳細に記載されるもの等の、１つ又は２つ以上の入力デバイスも含まれる。
【００１９】
いくつかの実施形態では、計算デバイス１０６は、表示デバイス１１０によって表示されるユーザーインターフェース１１４を生成する計器インターフェースエンジン１１２を含む。いくつかの実施形態では、ユーザーインターフェース１１４は、カルーセル１０４の図形的表現を生成するカルーセル表示１１６を含む。いくつかの実施形態では、オペレーターは、カルーセル表示１１６と相互に作用して、計器１０２の動作を構成又は制御することができる。カルーセル表示１１６は、物理的なカルーセル１０４の外見を模倣する直感的なインターフェースを提供する。これは、例えば、計器１０２の構成及び制御をより容易にし得、オペレーターが間違いを犯す可能性を低減し得る。計器インターフェースエンジン１１２及びカルーセル表示１１６は、本明細書において、図５〜１１を参照して更に詳細に例示及び説明される。
【００２０】
図２は、例示的な計器１０２の概略ブロック図である。この実施例では、計器１０２は、フローサイトメーターであり、試料搭載領域１０７、試料分析領域１３０、及び他の電子回路１３２を含む。
【００２１】
計器１０２は、試料を処理及び分析するように動作する。いくつかの実施形態では、試料は、試料搭載領域１０７において計器１０２内に導入される。この実施例では、試料搭載領域１０７は、内部空間を画定するハウジング１４０を含み、ハウジング１４０は、基部１４２、回転台１４４、及びカバー１４６を含む。いくつかの実施形態では、計器１０２は、回転台１４４を回転させるように操作可能なモータ１５０及びモータコントローラ１５２、カルーセル検出器１５４、並びに試料取入システム１５６を更に含む。
【００２２】
試料搭載領域１０７にアクセスするには、基部１４２とカバー１４６との間の蝶番式接続を枢動させることによって、カバー１４６を開放することができる。開放位置にある場合、カバー１４６は、内部空間へのアクセスを提供する。回転台１４４は、内部空間内に設けられ、カルーセル１０４を受容するような形状及び大きさを有する。回転台１４４は、モータコントローラ１５２によって制御されるモータ１５０に連結され、本明細書で論じるようにカルーセル１０４を回転させる。ひとたびカルーセル１０４が試料搭載領域１０７内に適切に位置付けられると、カバー１４６は、閉鎖位置に戻る。
【００２３】
いくつかの実施形態は、カルーセル検出器１５４を含む。カルーセル検出器１５４は、例えば、カルーセル１０４又はカルーセル１０４上に配置された１つ若しくは２つ以上の試料容器の識別番号を読み取るために使用することができる。カルーセル検出器１５４の一例は、バーコードスキャナである。他の実施形態は、光学的又はイメージキャプチャデバイス、高周波識別デバイス等の、他の検出器を利用する。バーコードスキャナの場合、カルーセル検出器１５４は、カルーセル１０４又は図３の実施例に示されるもの等の試料容器上に配置された１つ若しくは２つ以上のバーコードを読み出すように動作する。
【００２４】
計器１０２はまた、カルーセル１０４上の試料容器から試料の少なくとも一部分を抽出するように動作する試料取入システム１５６を含む。いくつかの実施形態では、試料取入システム１５６は、試料容器をカルーセル１０４から回収し、試料容器を撹拌し、計器１０２による更なる分析のために試料容器から試料の少なくとも一部分を吸引する機械的システムを含む。
【００２５】
図示されている実施例では、計器１０２は、試料搭載領域１０７から得た試料を分析するように動作する試料分析領域１３０を更に含む。フローサイトメーターである計器１０２のこの実施例では、試料分析領域１３０は、流体移送システム１６０、フローセル１６２、収集容器１６４、光源１６６、及びセンサ分析器１６８を含む。
【００２６】
試料分析領域１３０は、試料搭載領域１０７からの試料を処理及び分析して、試料の１つ若しくは２つ以上の内容物、粒径、粒子量、及び／又は他の特徴等の、試料の１つ若しくは２つ以上の特徴を判定する。
【００２７】
この実施例では、流体の導管、１つ又は２つ以上のポンプ、及び弁を含むような流体移送システム１６０は、試料取入システム１５６からフローセル１６２へ試料を移送するように動作する。
【００２８】
フローセル１６２は、試料中の粒子を狭幅な流れの中に配置させるような、狭幅な開口部を含む。試料は、フローセル１６２を通過し、その後、収集容器１６４に入る。
【００２９】
試料がフローセル１６２を通過している間、光源１６６は、試料を照らす光を生成する。光源１６６は、選択的に独立して、同時に、又は組み合わせて操作することができる１つ又は２つ以上の光源を含んでもよい。
【００３０】
光が試料を通過した後、センサ分析器１６８は、光を検出及び分析するように動作する。いくつかの実施形態では、センサ分析器１６８は、複数の光検出器を含む。試料を照明した後の光の拡散及び蛍光性を評価することによって、計器１０２は、試料の様々な特徴を判定することができる。
【００３１】
いくつかの実施形態では、計器１０２は、モータコントローラ１５２、制御電子機器１５５、及び電源１５７を含むような他の電子回路１３２を含む。モータコントローラ１５２は、典型的に、制御電子機器１５５からのデジタル制御信号を、モータ１５０に動力を供給し制御するために必要な電気信号に変換するように動作する。制御電子機器１５５は、典型的に、少なくとも１つの処理デバイス及び少なくとも１つのコンピュータ読み取り可能な記憶デバイスを含む。制御電子機器１５５は、本明細書で更に詳細に論じるように、計算デバイス１０６（図１に示す）とデータ通信している。電源装置１５７は、外部の電源等から電子回路１３２に電力を提供する。
【００３２】
図３は、例示的なカルーセル１０４の斜視図である。この実施例では、カルーセル１０４は、本体１８０及びハンドル１８２を含んでいる。本体１８０は、容器位置１８４（容器位置１８４１、１８４２、．．．１８４Ｎを含む）、カルーセル識別子１８６、及び位置識別子１８８（位置識別子１８８１、１８８２、．．．１８８Ｎを含む）を含む。試料Ｓ（試料Ｓ１、Ｓ２、．．．ＳＮを含む）を含有する１つ又は２つ以上の試料容器１９０（試料容器１９０１、１９０２、．．．１９０Ｎを含む）が、カルーセル１０４内に配置され得る。
【００３３】
カルーセル１０４は、射出成型プラスチック等の材料、又は他の好適な材料若しくは材料の組み合わせから形成される。
【００３４】
いくつかの実施形態では、本体１８０は、円盤形状を有し、平坦な上面と、下面と、側壁とを有する。頂部から眺めると、本体１８０は、円形状を有する。容器位置１８４は、本体の外周部沿いに配置され、試料容器１９０を立位で内部に受容及び支持するように構成された形状を有する。一例として、容器位置１８４は、円筒形状のレセプタクルを形成する底面及び側壁を含む。いくつかの実施形態では、試料容器１９０が容器位置１８４内に配置されるとき、試料容器１９０（及びその内部に収容される試料Ｓ）の最も低い部分さえカルーセル１０４の側部から見ることができるほど、容器位置１８４の側部が本体１８０の外周部を超えて延在する。
【００３５】
いくつかの実施形態は、カルーセル識別子１８６及び／又は位置識別子１８８を含む識別子を含む。例えば、カルーセル識別子１８６は、第１の試料容器位置１８４１に近接したカルーセル１０４の原点位置に設けられる。この実施例では、カルーセル識別子１８６は、カルーセル識別コードを符号化するバーコードであり、計器は、これを使用してカルーセル１０４を特定することができ、計器及びオペレーターが複数のカルーセル１０４を区別することを可能にする。位置識別子１８８は、各容器位置１８４に近接して含まれ、位置識別コードを符号化するものであり、計器は、それが回転台１４４上で回転する際（図２）、これを使用してカルーセル１０４の現在位置を判定することができる。例えば、位置識別子１８８１は、容器位置１８４１に近接して位置付けられている。識別子１８６及び１８８は、図２に示されるカルーセル検出器１５４等によって、計器１０２によって読み取られる。
【００３６】
図３に示される例示的なカルーセルは、カルーセルの周囲沿いに配置された単一行の容器位置を有する。他の実施形態は、カルーセル内の２つ又は３つ以上の同心円沿いに配置されている等の、複数の行を含む。
【００３７】
図４は、図１に示される計算デバイス１０６の実施例の概略ブロック図である。図４はまた、計算デバイス１０６又は計器１０２から独立して使用されるスタンドアロンの計算デバイス等の他の計算デバイスを含む、本開示の様々な態様を実装するために使用され得る計算デバイスの模範的アーキテクチャを図示している。図２に図示される計算デバイスを使用して、図１に示される計器インターフェースエンジン１１２等の、本明細書に記載のオペレーティングシステム、アプリケーションプログラム、及びソフトウェアモジュール（ソフトウェアエンジンを含む）を実行することができる。
【００３８】
計算デバイス１０６は、いくつかの実施形態では、中央演算処理装置（ＣＰＵ）等の、少なくとも１つの処理デバイス２００を含む。様々な製造会社、例えば、Ｉｎｔｅｌ又はＡｄｖａｎｃｅｄ  Ｍｉｃｒｏ  Ｄｅｖｉｃｅｓから様々な処理デバイスが入手可能である。この実施例では、計算デバイス１０６はまた、システムメモリ２０２と、システムメモリ２０２を含む様々なシステムコンポーネントを処理デバイス２００に連結するシステムバス２０４とを含む。システムバス２０４は、メモリバス又はメモリコントローラ、周辺バス、及び様々なバス構造のうちの任意のものを使用したローカルバスを含む、任意の数の種類のバス構造のうちの１つである。
【００３９】
計算デバイス１０６に好適な計算デバイスの例としては、デスクトップコンピュータ、ラップトップコンピュータ、タブレットコンピュータ、携帯型計算デバイス（スマートフォン、ｉＰｏｄ（登録商標）若しくはｉＰａｄ（登録商標）携帯型デジタルデバイス、若しくは他の携帯型デバイス）、又はデジタル命令を処理するように構成された他のデバイスが挙げられる。
【００４０】
システムメモリ２０２は、ＲＯＭ  ２０６及びＲＡＭ  ２０８を含む。起動時等に計算デバイス１０６内で情報を移送するように動作する基本ルーチンを含む基本入力／出力システム２１０は、典型的に、ＲＯＭ  ２０６内に記憶される。
【００４１】
計算デバイス１０６はまた、いくつかの実施形態では、デジタルデータを記憶するためのハードディスク等の二次記憶デバイス２１２も含む。二次記憶デバイス２１２は、二次記憶インターフェース２１４によってシステムバス２０４に接続される。二次記憶デバイス２１２及びそれらに関連付けられたコンピュータ読み取り可能な媒体は、コンピュータ読み取り可能な命令（アプリケーションプログラム及びプログラムモジュールを含む）、データ構造、並びに計算デバイス１０６のための他のデータの不揮発性記憶装置を提供する。
【００４２】
本明細書に記載の模範的な環境は、ハードディスクドライブを２次記憶デバイスとして用いるものの、他の実施形態では他の種類のコンピュータ読み取り可能な記憶媒体が使用される。これらの他の種類のコンピュータ読み取り可能な記憶媒体の例としては、磁気カセット、フラッシュメモリカード、デジタルビデオディスク、Ｂｅｒｎｏｕｌｌｉカートリッジ、コンパクトディスクＲＯＭ、デジタル汎用ディスクＲＯＭ、ＲＡＭ、又はＲＯＭが挙げられる。いくつかの実施形態は、非一時的な媒体を含む。加えて、このようなコンピュータ読み取り可能な記憶媒体は、ローカル記憶装置又はクラウドベースの記憶装置を含んでもよい。
【００４３】
オペレーティングシステム２１６、１つ又は２つ以上のアプリケーションプログラム２１８、他のプログラムモジュール２２０（本明細書に記載のソフトウェアエンジン等の）、及びプログラムデータ２２２を含むいくつかのプログラムモジュールを二次記憶デバイス２１２又はメモリ２０２内に記憶することができる。計算デバイス１０６は、Ｍｉｃｒｏｓｏｆｔ  Ｗｉｎｄｏｗｓ（登録商標）、Ｇｏｏｇｌｅ  Ｃｈｒｏｍｅ（商標）、Ａｐｐｌｅ  ＯＳ等の任意の好適なオペレーティングシステム、及び計算デバイスにとって好適な任意の他のオペレーティングシステムを利用することができる。
【００４４】
いくつかの実施形態では、ユーザーは、１つ又は２つ以上の入力デバイス２２４を通じて入力を計算デバイス１０６に提供する。入力デバイス２２４の例としては、キーボード２２６、マウス２２８、マイクロフォン２３０、及びタッチセンサ２３２（タッチパッド又はタッチ感応性ディスプレイ等の）を含む。他の実施形態は、他の入力デバイス２２４を含む。入力デバイスは、しばしば、システムバス２０４に連結された入力／出力インターフェース２３４を介して処理デバイス２００に接続される。これらの入力デバイス２２４は、パラレルポート、シリアルポート、ゲームポート、又はユニバーサルシリアルバス等の任意の数の入力／出力インターフェースによって接続され得る。入力デバイスとインターフェース２３４との間の無線通信も可能であり、いくつかの可能な実施形態において、赤外線、ＢＬＵＥＴＯＯＴＨ（登録商標）無線技術、８０２．１１ａ／ｂ／ｇ／ｎ、セルラー方式、又は他の高周波通信システムを含む。
【００４５】
この例示的な実施形態では、モニタ、液晶表示器、プロジェクタ、又はタッチ感応性表示デバイス等の表示デバイス１１０は、ビデオアダプタ２３８等のインターフェースを介してシステムバス２０４にも接続されている。表示デバイス１１０に加えて、計算デバイス１０６は、スピーカー又は印刷機等の、様々な他の周辺デバイス（図示せず）を含んでもよい。
【００４６】
ローカルエリアネットワーキング環境又は（インターネット等の）ワイドエリアネットワーキング環境で使用される場合、計算デバイス１０６は、典型的に、イーサネット（登録商標）インターフェース等のネットワークインターフェース２４０を通じてネットワークに接続される。いくつかの実施形態は、無線通信デバイスを含む。他の可能な実施形態は、他の通信デバイスを使用する。例えば、計算デバイス１０６のいくつかの実施形態は、ネットワークを横断して通信するためのモデムを含む。
【００４７】
計算デバイス１０６は、計算デバイス１０６が計器１０２と通信することを可能にする通信インターフェース２４２を含む。通信インターフェース２４２の例としては、ユニバーサルシリアルバス（ＵＳＢ）通信デバイス、イーサネット（登録商標）通信デバイス、シリアル通信デバイス、及び無線通信デバイスが挙げられる。
【００４８】
計算デバイス１０６は、典型的に、少なくとも何らかの形態のコンピュータ読み取り可能な媒体を含む。コンピュータ読み取り可能な媒体は、計算デバイス１０６によってアクセス可能である任意の使用可能な媒体を含む。例として、コンピュータ読み取り可能な媒体には、コンピュータ読み取り可能な記憶媒体及びコンピュータ読み取り可能な通信媒体が挙げられる。
【００４９】
コンピュータ読み取り可能な記憶媒体として、コンピュータ読み取り可能命令、データ構造、プログラムモジュール、又は他のデータ等の情報を記憶するように構成された任意の装置に実装された揮発性及び不揮発性、取り外し可能及び取り外し不可能な媒体が挙げられる。コンピュータ読み取り可能な記憶媒体としては、限定するものではないが、ＲＡＭ、ＲＯＭ、電気的消去可能プログラマブルＲＯＭ、フラッシュメモリ若しくは他のメモリ技術、ＣＤ−ＲＯＭ、ＤＶＤ若しくは他の光学記憶装置、磁気カセット、磁気テープ、磁気ディスク記憶装置若しくは他の磁気記憶デバイス、又は所望の情報を記憶するために使用することができ、計算デバイス１０６によってアクセス可能である任意の他の媒体が挙げられる。コンピュータ読み取り可能な記憶媒体は、コンピュータ読み取り可能な通信媒体を含まない。
【００５０】
コンピュータ読み取り可能な通信媒体は、典型的にはコンピュータ読み取り可能命令、データ構造、プログラムモジュール又は搬送波若しくは他の移送機構等の変調データ信号中の他のデータを包含し、任意の情報配信媒体を含む。用語「変調データ信号」は、その特性セットの１つ又は２つ以上を有する信号、又は情報を信号に符号化するように変更された信号を指す。例として、コンピュータ読み取り可能な通信媒体には、有線ネットワーク又は直接配線接続（ｄｉｒｅｃｔ−ｗｉｒｅｄ  ｃｏｎｎｅｃｔｉｏｎ）等の有線媒体、並びに音響、無線周波数、赤外線、及び他の無線媒体等の無線媒体が挙げられる。上記の任意の組み合わせもまた、コンピュータ読み取り可能な媒体の範囲内に含まれる。
【００５１】
図４に図示される計算デバイスもまた、１つ又は２つ以上のこのような計算デバイスを含み得るプログラマブル電子機器の一例であり、複数の計算デバイスが含まれる場合、このような計算デバイスを好適なデータ通信ネットワークによって連結して本明細書に開示される様々な機能、方法、又は動作を共同して遂行することができる。
【００５２】
図５は、計器インターフェースエンジン１１２の一例を図示する概略ブロック図である。この実施例では、計器インターフェースエンジン１１２は、ユーザーインターフェース部分２５０及び計器インターフェース部分２５２を含む。ユーザーインターフェース部分２５０は、カルーセルインターフェースエンジン２６０、取得データ表示エンジン２６２、及びインターフェースコントロール生成器２６４を含む。計器インターフェース部分２５２は、カルーセル位置調節エンジン２６６、プロトコル命令エンジン２６８、及び取得データフィード収集器２７０を含む。
【００５３】
ユーザーインターフェース部分２５０は、図形的なユーザーインターフェース１１４（図１）を生成すること、及び１つ又は２つ以上の入力デバイス２２４（図４）を通じて入力を受信すること等によって、オペレーターと相互に作用するコンポーネントを含む一方で、計器インターフェース部分２５２は、計器１０２と相互に作用するコンポーネントを含む（図１〜２）。一実施例では、計器インターフェース部分２５２は、図４に示される通信インターフェース２４２から図２に示される計器１０２の制御電子機器１５５を通じて、計器１０２と通信する。図２では別個に図示されていないものの、制御電子機器１５５は、典型的に、通信インターフェース２４２と互換性のある通信インターフェースを含む。
【００５４】
カルーセルインターフェースエンジン２６０は、本明細書でより詳細に論じられ、物理的カルーセル１０４の図形的表現を含むカルーセル表示１１６を生成するように動作する。カルーセル表示１１６は、情報がオペレーターによって容易に理解されるように、カルーセル１０４の実際の物理的配置を模倣したフォーマットでオペレーターに情報を提示する。いくつかの実施形態では、カルーセル表示１１６はまた、設定を調節する、又は試料に対して遂行されるプロトコルを定義する等のために、ユーザーが入力を直接カルーセル表示内へ提供することも可能にする。カルーセルインターフェースエンジン２６０は、カルーセル表示１１６を生成し、かつ図６〜１１を参照して更に詳細に説明されるような、カルーセル表示１１６に関連付けられている機能を遂行するように動作する。
【００５５】
取得データ表示エンジン２６２は、試料の分析中に得られたデータについて、１つ又は２つ以上の図形的データ表示を生成するように動作する。いくつかの実施形態では、取得データ表示エンジン２６２は、試料の分析が遂行されている間、計器１０２によって得られた取得データの図形的プロットを生成する。データ表示の例（３０８）は、図７、９、及び１０を参照して更に詳細に例示及び説明される。
【００５６】
インターフェースコントロール生成器２６４は、ユーザーインターフェース１１４において、オペレーターによって選択可能な、計器１０２の動作を調節するコントロール（カルーセル１０４上の試料の処理を開始する、又は定義されたプロトコルが完了する前に試料の分析を中止する等）を生成及び表示するように動作する。インターフェースコントロールの例は、図７、９、及び１０を参照してより詳細に例示及び説明される。
【００５７】
計器インターフェース部分２５２に目を向けると、カルーセル位置調節エンジン２６６は、試料搭載領域１０７におけるカルーセル１０４の位置を調節するために、計器１０２と通信するように動作する。例えば、カルーセル位置調節エンジンは、特定の容器位置１８４（図３）が試料取入システム１５６（図２）に位置合わせされるように、回転台１４４（図２）を回転させるように計器に命令し得る。計器インターフェース部分２５２の例示的な動作は、図９を参照すること等によって、本明細書により詳細に説明される。
【００５８】
プロトコル命令エンジン２６８は、計器１０２と通信して、オペレーターによって定義された特定のプロトコルを試料に対して遂行するよう計器に命令するように動作する。プロトコル命令は、計器の定義された通信プロトコルに従って計器１０２に提供され得る。
【００５９】
取得データフィード収集器２７０は、試料の分析中、計器１０２からデータフィードを受信するように動作する。次に、データは、取得データ表示エンジン２６２にフィードされ、そこでデータはプロットされるか、又は別の方法でオペレーターに対して表示される。
【００６０】
図６は、図５に示される計器インターフェースエンジン１１２の例示的な操作モード２８０を示す流れ図である。この実施例では、モード２８０は、設定モード２８２及び運転モード２８４を含む。
【００６１】
始動後に、計器インターフェースエンジン１１２は、設定モード２８２又は運転モード２８４へ進む。
【００６２】
設定モード２８２は、オペレーターが計器設定を構成できるように提供される。一例として、オペレーターは、計器インターフェース１１２と相互に作用し、カルーセル１０４上で試料を処理する方法を計器システム１００（図１）に教えてもよい。これは、例えば、カルーセル上の試料容器の位置を特定すること、並びに計器１０２が試料を適切に処理及び分析するために従うべきプロトコルを定義すること、を含み得る。別の例として、設定モード２８２は、ＰＭＴ電圧、ＰＭＴゲイン、前方散乱検出角、及び減光フィルタ等の計器設定を構成することを可能にする。設定モード２８２で動作する計器インターフェースエンジン１１２の一例は、図７〜９を参照して更に詳細に例示及び説明される。
【００６３】
設定モード２８２が完了した後、計器インターフェースエンジン１１２は、運転モード２８４へ進む。運転モードにある場合、計器インターフェースエンジン１１２は、計器１０２に対して命令を提供し、計器１０２に、設定モード２８２中に提供されたオペレーターの命令に従って試料を適切に処理及び分析させる。いくつかの実施形態では、計器インターフェースエンジン１１２はまた、計器の現在の状態を表示し、すでに処理されたサンプル、及びどの試料が現在処理されているのかを特定する。いくつかの実施形態では、運転モード２８４はまた、計器１０２からのデータを受信及び表示して、オペレーターに対して提示するように動作する。運転モード２８４で動作する計器インターフェースエンジン１１２の一例は、図１０〜１１を参照して更に詳細に例示及び説明される。
【００６４】
運転モード２８４が完了した後、計器インターフェースエンジン１１２は、次に、設定モード２８２に戻り、そのとき計器は遮断されてもよく、又は後のワークリストが構成されてもよい。
【００６５】
いくつかの実施形態では、計器インターフェースエンジン１１２は、計器１０２と通信可能に接続されていないため等、計器システム１００の一部ではない計算デバイス上で動作し得る。これは、例えば、カルーセル１０４を準備し、その上に試料を配置する一方で、異なる場所にあり、別個の計算デバイスを使用する計器１０２のためのワークリストをオペレーターが作成及び設定できるようにするのに有用である。オペレーターがワークリスト及びカルーセル１０４を設定している間、計器システム１００は、他の者によって使用可能な状態にとどまる。ワークリストが生成された後、ワークリストは、保存され、計器システム１００の一部である計算デバイス１０６に移送され得る。そこで、ワークリストは、開かれ、計器システム上で処理され得（運転モード２８４を通じて）、ワークリストがその計算デバイス１０６上で定義されることは必要とされない。
【００６６】
図７は、設定モード２８２で動作しているときに計器インターフェース１１２によって生成された例示的なユーザーインターフェース１１４を図示する概略図である（図６）。この実施例では、ユーザーインターフェース１１４は、カルーセルインターフェース表示領域３０２、取得データ表示領域３０４、及び計器コントロール領域３０６を含む。
【００６７】
カルーセルインターフェース表示領域３０２は、カルーセル表示１１６を含む。いくつかの実施形態では、カルーセル表示１１６は、図５に示されるカルーセルインターフェースエンジン２６０によって生成される。
【００６８】
カルーセル表示１１６は、カルーセル１０４の図形的表現を含む。いくつかの実施形態では、カルーセル表示１１６は、カルーセル１０４上で試料を処理するための定義された命令をオペレーターに図表的に示し、かつそれらの命令を定義又は変更するオペレーターからの入力を受信するように動作する。
【００６９】
いくつかの実施形態では、カルーセルインターフェース表示領域３０２は、オペレーターから入力を受信して、カルーセル１０４上で試料を処理するための１つ又は２つ以上のプロトコルを含むワークリストを生成する。ひとたび完了すると、ワークリストのデータは、計器１０２に伝達され、計器１０２は、このデータを使用して、適切なカルーセル位置から試料を取得し、定義されたプロトコルに従って処理及び分析する。カルーセルインターフェース表示領域３０２の一例が、図８〜１１を参照して更に詳細に例示及び説明される。
【００７０】
取得データ表示領域３０４はユーザーインターフェース１１４の一部分であり、計器１０２からのデータは、運転モード２８４で運転しているときのみ表示される（図６）。図７に示されるように、設定モード２８２で動作しているとき、取得データ表示領域３０４は、カルーセルインターフェース表示領域３０２内で選択された試料の分析の間、取得データ表示領域３０４内に含められることをオペレーターが希望する所望の１つ又は２つ以上のデータ表示を選択及び配置するようにオペレーターによって構成され得る。
【００７１】
いくつかの実施形態では、ヒストグラム、ドットプロット、及び密度プロットを含む等、様々なデータ表示３０８（例えば、３０８Ａ〜Ｇ）が取得データ表示領域３０４へ含めるために使用可能である。ヒストグラムは、頻度分布として図形的表現を提供し、高さが対応する頻度を表す。ドットプロットは、２つのパラメータを比較してそれらの関係を図形的に表す。比較される２組のデータのためのマーカーを含む各イベントは、ドットプロット上でドットとして現れる。密度プロットは、Ｘ軸及びＹ軸パラメータを比較する際に発生するイベントの数又は百分率の多色表現である。イベント発生率の濃度の高低は、異なる色によって表される。いくつかの実施形態では、データ表示３０８は、使用可能な選択肢のメニューから、又はデータ表示３０８をメニューから取得データ表示領域３０４内の所望の位置にドラッグアンドドロップすることによって、選択可能である。データ表示３０８は、データ表示３０８を拡大若しくは縮小するように、又はデータ表示を取得データ表示領域３０４内に再配置若しくは再位置付けするように、オペレーターによって調節可能である。いくつかの実施形態では、表示３０８の更なるカスタマイズを可能にするゲート又は他のツールが提供される。ゲート及びツールの例としては、線形、四分円、蝶番、ポリゴン、手描き、方形、及び長円が挙げられる。
【００７２】
計器コントロール領域３０６は、オペレーターによって計器１０２を制御するために選択可能な計器コントロールを生成及び表示する。例えば、いくつかの実施形態では、計器コントロール領域３０６は、獲得コントロール３１０、獲得単一コントロール３１２、及びプライミングコントロール３１４を含む。獲得コントロール３１０は、カルーセルインターフェース表示領域３０２で定義されるワークリストに従って試料の処理及び分析を開始する。対照的に、獲得単一コントロール３１２を選択すると、カルーセルインターフェース表示領域３０２で選択された単一の試料のみの処理及び分析が開始される。プライミングコントロール３１４を選択すると、計器１０２によるプライミング作業の遂行が開始される。
【００７３】
図８は、図７に示されるカルーセルインターフェース表示領域３０２の実施例を図示する概略図である。この実施例では、カルーセルインターフェース表示領域３０２は、カルーセル表示１１６及びデータ仕様グリッド３２０を含む。
【００７４】
カルーセルインターフェース表示領域３０２は、オペレーターからの入力を受信して、オペレーターがカルーセル１０４上に搭載された試料について詳細を提供できるように動作する。例えば、いくつかの実施形態では、オペレーターは、カルーセルインターフェース表示領域３０２を利用して、以下のうちの１つ又は２つ以上を行う。すなわち、どのカルーセル位置が試料を収容しているか特定すること、各試料に名前を付与すること、各試料にプロトコルを割り当てること、プロトコルをリンクすること、及びパラメータ仕様を作成すること、である。カルーセルインターフェース表示領域３０２は、図７に示されるようなユーザーインターフェースの一部分として見られてもよく、又は図８及び１１に示されるような拡張画面においてそれ自体として表示されてもよい。
【００７５】
この実施例では、カルーセル表示１１６は、物理的なカルーセル１０４の図形的表現を含む。この実施例では、図形的表現は、カルーセル１０４の上面図として提示され、等尺性図又は側面図等の他の図が追加的に、又は代替的に使用されてもよい。例示的なカルーセル表示１１６は、本体３２２及び容器位置３２４を備える。本体３２２は、円形状を有する等、カルーセルの本体１８０（図３）の図形的表現である。本体３２２の周囲沿いに分散しているのは、容器位置３２４（容器位置３２４１、３２４２、．．．３２４Ｎを含む）であり、これらは、カルーセル１０４の容器位置１８４（図３）の場所を図形的に表現する。この実施例では、カルーセル１０４は、３２個の容器位置１８４を含み、したがって、カルーセル表示１１６はまた、３２個の容器位置を含む。他の実施形態は、カルーセル１０４内の容器位置の量に合致する他の量の容器位置を含む。この実施例では、容器位置３２４は、各々、円形状によって表される。更に、この実施例では、各容器位置３２４は、位置１で始まり、位置３２まで連続して続く等、カルーセル上の各位置３２４の順序を特定する円形状内の数字を含む。容器位置３２４は、本明細書で更に詳細に論じるように、異なる色を含んでもよい。
【００７６】
いくつかの実施形態では、カルーセル１０４内に含まれる試料のための追加的なデータ仕様及び計器１０２によって試料に対して遂行されるプロトコルを表示及び受信するために、データ仕様グリッド３２０が設けられている。この実施例では、データ仕様グリッド３２０は、複数の行及び列を含む。グリッド内の各行は、所与の容器位置３２４における試料を表し、列は、その試料に関係するデータを含む。この実施例では、列は、現在選択されている試料、容器位置、試料の識別情報、及び各試料のプロトコルを特定する。他の実施形態では、より多いか、より少ないか、異なる列が含まれる。例えば、いくつかの実施形態では、追加的な列が表示される拡張画面も使用可能である。可能な追加的な列のいくつかの例（図８では図示せず）としては、１つ又は２つ以上の追加的な試料識別情報列、較正係数列、及び１つ又は２つ以上の検出器説明記述列（計器１０２によって使用される検出器の説明記述をオペレーターが提供できるようにするための）が挙げられる。
【００７７】
いくつかの実施形態では、データ仕様グリッド３２０は、リンクアイコン３４２（図９で可視であるような）を表示する。カルーセル表示１１６内で容器位置３２４が選択されると、計器インターフェースエンジン１１２（図５）は、選択された容器位置３２４が（本明細書で更に詳細に論じられるように）任意の他の容器位置とリンクされているか判定する。もしそうであれば、選択された容器位置３２４に関連付けられた行、及び選択された容器位置３２４にリンクされた容器位置に関連付けられた行に、リンクアイコンが表示される。リンクアイコンの１つの例は、選択された容器位置が別の容器位置とリンクされていることを示唆する、チェーンの２つのリンクの図形的表現である。いくつかの実施形態では、リンクアイコンは、塗りつぶされた円等の色のインジケータを更に含む。塗りつぶされた円は、カルーセル表示１１６に示される容器位置の色に合致する色を有し、選択された容器位置について定義されたプロトコルを表す。
【００７８】
設定モードで動作しているとき、オペレーターは、カルーセル表示１１６及びデータ仕様グリッド３２０と相互に作用して、カルーセルに搭載された試料についての情報を提供するか、又は計器によって試料に対して遂行されるプロトコルを定義する。いくつかの実施形態では、この機能は、運転モード及び／又は他の動作モードの間にも使用可能である。
【００７９】
いくつかの実施形態では、カルーセル表示１１６は、オペレーターと相互に作用して、ワークリストを生成する。ワークリストは、計器によって遂行される順序及び動作を定義する一組の命令である。いくつかの実施形態では、ワークリストには、以下のものが１つ又は２つ以上含まれる。すなわち、カルーセル１０４上の試料容器の量の識別情報、試料容器の位置の識別情報、試料容器に含まれる試料に対して遂行するプロトコルの表示及び／又は定義、メタ情報（試料の識別番号又は説明記述等）、試料が処理されるべき順序、である。
【００８０】
一実施例では、容器位置３２４は、容器位置３２４上に入力を提供することによって、選択可能である。例えば、オペレーターは、好適な入力（クリック、ダブルクリック、タップ、ダブルタップ、又は他の入力等）を使用して、入力デバイスを操作して、容器位置３２４２上の点を選択する。計器インターフェースエンジン１１２は、この入力を認識し、対応する容器位置３２４２を選択する。ひとたび選択されると、いくつかの実施形態では、カルーセル表示１１６は、選択された容器位置３２４２が原点位置３２６に位置付けられるまで、カルーセルを回転させる。加えて、いくつかの実施形態では、インジケータ３２８は、その以前の位置から、データ仕様グリッド３２０において選択された容器位置３２４２（＃２）に関連付けられた行へ移動する。
【００８１】
カルーセル上の特定の場所に試料が存在することを表示するために、オペレーターは、適切な容器位置を選択し、その位置において試料に対して実行するプロトコルを特定する。一例として、オペレーターが容器位置３２４に右クリック又は他の入力等の入力を提供すると、ポップアップメニューが表示される（図８では図示せず）。オペレーターは、メニューから、新しいプロトコルを作成するか、又は以前定義したプロトコルをインポートすることを選択できる。新しいプロトコルを作成する場合、又は既存のプロトコルを変更する場合、オペレーターは、この同じメニューから、そのプロトコルを将来使用するために保存することも選択できる。
【００８２】
いくつかの実施形態では、プロトコルは、以下のうちの１つ若しくは２つ以上、又は全てを特定するデータを含む。すなわち、どのハードウェア検出器が有効化されているか、どの測定値（複数可）を各検出器から収集すべきか、前方散乱の収集角度、側方散乱用減光フィルタの状態、ディスクリミネータのパラメータの指定、ディスクリミネータの値の指定、各検出器の電圧及び利得、各検出器のラベル、表示する一組のプロット及び全ての関連する構成情報、停止条件の指定、流量の指定、補正値、ゲート及び関連するパラメータ（例えば、色、優先順位、名称）、並びにプロトコル名、である。
【００８３】
試料は、カルーセル１０４上の任意の場所に配置することができ、したがって、いくつかの実施形態では、オペレーターは、カルーセル表示１１６上の任意の場所に試料容器の存在を表示することができる。図８に示される実施例では、カルーセル１０４が容器位置１０に試料容器を収容する場合、オペレーターは、単純にカルーセル表示１１６において容器位置３２４１０を選択し、新しいプロトコルを定義するか、又は以前に定義及び保存したプロトコルをその容器位置３２４１０のためにインポートすることができる。いくつかの実施形態では、プロトコルが定義された後、容器位置３２４１０が原点３２６に位置合わせされるように、カルーセル表示１１６が回転する。いくつかの実施形態では、別の容器位置３２４（例えば、容器位置３２４１）が所望のプロトコルをすでに含んでいる場合、オペレーターは、ＣＴＲＬキー又は他の機能キーを押下しながらドラッグアンドドロップ入力を提供すること等によって、あるいは別の実施形態では、所望のプロトコルを有する位置３２４１を選択して（右クリック操作等によって）ポップアップメニューから「複製する」オプションを選択することによって、プロトコルを容器位置３２４１から容器位置３２４１０へコピーすることができる。次に、プロトコルは、次の使用可能な位置（例えば、３２４２）に再生され、その後所望の位置にドラッグアンドドロップされ得る。
【００８４】
ひとたび容器位置３２４の試料についてプロトコルが定義されると、容器位置３２４の色は、初期の色から異なる色へ変化し、取得中に試料がその容器位置３２４に存在するようになる見込みであること、及びその試料についてプロトコルが定義されたことを表示する。この色コードは、オペレーターが、各容器位置３２４の設定を個別にチェックしてプロトコルが定義されているか否か確認する必要なく、プロトコルが定義された容器位置を視覚的に特定し、プロトコルが定義されていない容器位置も視覚的に特定することを可能にする。
【００８５】
オペレーターがいくつかの試料に対して同じプロトコルを遂行することを希望する場合、カルーセル表示１１６を使用して、そのプロトコルを他の容器位置３２４間で容易に複製することができる。一実施例では、以前定義された所望のプロトコルを有する容器位置３２４が選択され、プロトコルを別の容器位置３２４に複製したいという希望を示す入力が提供される。入力の一例は、複製コマンドであり、これは、例えば、メニューから「複製する」を選択することによって、又は機能キー（ＣＴＲＬキー等）を押下しながらドラッグアンドドロップ入力を提供することによって、遂行され得る。入力の別の例は、右クリック入力の後でポップアップメニューから複製オプションを選択することであり、この場合、プロトコルを、カルーセル上の次に使用可能な容器位置３２４に複製することができる。これは、プロトコルを迅速かつ容易に追加的な容器位置に複製することを可能にし、そのためオペレーターは、そのプロトコルが割り当てられる各容器位置のために同じプロトコルを再定義しなくてもよい。同様に、オペレーターが以前定義したプロトコルによく似たプロトコルを定義することを希望する場合、プロトコルをこの方法で別の容器位置に複製し、次に編集してその容器位置のために所望の修正を加えることができる。加えて、いくつかの実施形態では、プロトコルの複製は、より迅速に、より少ないユーザー入力で、より少ない時間でプロトコルを定義することを可能にし、そのプロセスでエラーが発生する可能性を低減する。
【００８６】
カルーセル表示１１６のいくつかの実施形態では、一群のプロトコルを同時に移動又はコピーすることもできる。例えば、オペレーターがプロトコルＡ及びプロトコルＢの繰り返しパターンを有することを希望する場合、オペレーターは、これらのプロトコルを容器位置３２４１及び３２４２で選択し、次にそれらを次の位置３２４３及び３２４４に、続いて次の位置に等、所望のパターンが定義されるまでコピーすることができる。群を選択するには、オペレーターは、群選択入力を提供する。群選択入力の一例は、ＳＨＩＦＴキー等のキーを押したままにしながら、又はポインタ入力を使用して容器位置３２４の群の周囲に選択ボックスを描画することによって、それぞれの容器位置３２４をクリックすることである。したがって、コピー操作を使用して、一群のプロトコルを一組の容器位置から別の一組の容器位置にコピーすることができる。一群のプロトコルとしては、単一のプロトコル又は繰り返しパターン等にあるような複数の異なるプロトコルが挙げられ得る。したがって、いくつかの実施形態では、コピー操作は、より迅速に、より少ないユーザー入力で、より少ない時間でプロトコルを定義することを可能にし、そのプロセスでエラーが発生する可能性を低減する。
【００８７】
いくつかの実施形態は、リンク機能を含む。リンク機能は、２つ又は３つ以上の容器位置３２４を互いにリンクすることを可能にする。互いにリンクされた場合、リンクされた容器位置３２４のうちの１つに対してなされた変更は、全ての他のリンクされた容器位置３２４に対して自動的に調節される。例えば、５つの容器位置３２４が互いにリンクされている場合、オペレーターは、容器位置のうちの１つのプロトコルに変更を加えることができ、その変更は、他の４つの容器位置のプロトコルに対して自動的になされ、そのため、オペレーターは、５つの全ての容器位置について個別に変更を行わなくてもよい。いくつかの実施形態では、リンクされた容器位置は、図９に関連して論じたリンクアイコン３４２によって、かつ／又は例えば共通の色コードによって、図形的に特定される。時間を節約し、必要なユーザー入力の数を低減することに加えて、リンク機能はまた、互いにリンクされているプロトコルを視覚的に表示することによって、エラーの可能性も低減する。これは、ユーザーが、一組の容器位置が適切に互いにリンクされていることを迅速に検証し、それによってそれら全てが必ず同じプロトコルを共有するようにすることを可能にする。それはまた、共通のプロトコルを共有する各容器位置について、プロトコルを個別に入力及び修正することをユーザーに義務付けないことによって、エラーの可能性を低減する。
【００８８】
いくつかの実施形態では、リンクされた容器位置３２４は、共通色によって表され、したがって、リンクされていない容器位置３２４は、異なる色で表される。リンクされたプロトコルは、例えば、右クリック等の入力を提供し、ポップアップメニューから「リンク解除する」を選択することによって、リンク解除され得る。ひとたび以前リンクされたプロトコルがリンク解除されると、容器位置３２４の色は異なる色に変化し、その容器位置３２４が他の１つ又は２つ以上の容器位置３２４にもはやリンクされていないことを示す。色コードは、例えば、共通のプロトコルを有するはずの容器位置３２４が同じ色を有すること、及び異なるプロトコルを有するはずの容器位置３２４が同じ色を有さないことを視覚的に検証する迅速かつ容易な方法をユーザーに提供する。
【００８９】
いくつかの実施形態では、オペレーターは、容器位置３２４に関連するメタ情報も提供することができる。図８に示される実施例では、容器位置３２４１及び３２４２は、ラベル３３０を含む。いくつかの実施形態では、又は他のメタ情報がない限り、ラベル３３０は、それぞれ、プロトコルＡ及びプロトコルＢ等のプロトコルの名称を表示する。いくつかの実施形態では、カルーセル表示１１６内のこの位置に、追加的に、又は代替的にメタ情報が表示されてもよい。例えば、オペレーターは、ラベル３３０を選択し、試料識別子、説明記述、又は任意の他の所望の情報等のメタ情報を入力することができる。次に、メタ情報は、それぞれのラベル内に表示される。別の選択肢として、オペレーターは、データ仕様グリッド３２０の試料ＩＤ列内の適切なフィールドを選択して、メタ情報をその（又は別の）フィールドに入力してもよい。いくつかの実施形態では、ひとたび入力されると、メタ情報は、ラベル３３０内に表示される。メタ情報は、プロトコルの名称、プロトコルの種類、試料の出所、試料の種類、又は様々な他の情報等の、様々な情報を表示するために有益であり得る。結果として、メタ情報は、プロトコルを適切に設定する際に、及びメタ情報を色コードと比較すること等によってプロトコルが適切に設定されていることを検証する際に、オペレーターにとって有益であり得る。例えば、メタ情報が「プロトコルＡ」及び「プロトコルＢ」の繰り返しパターンを示している場合、容器位置３２４の色コードをメタ情報に示されるパターンと比較して、色コードが同じパターンを有することを検証することができる。
【００９０】
カルーセルインターフェース表示領域３０２のいくつかの実施形態は、追加的な特長を含む。例えば、いくつかの実施形態は、取得用データを収容する取得データファイルが貯蔵されるディレクトリを特定する出力ファイル選択領域３３２を含む。出力ファイル選択領域３３２を使用して、取得データファイルの貯蔵用の代替的なディレクトリを選択することができる。別の例として、ユーザーインターフェース１１４は、ワークリスト消去コントロール３３４及び説明記述編集コントロール３３６も含んでもよい。この実施例では、ワークリスト消去コントロール３３４は、全ての容器位置からデータを消去し、カルーセル表示１１６は、空のカルーセルの図形的表現を示すように更新される。データ仕様グリッド３２０もまた消去される。説明記述編集コントロール３３６は、いくつかの実施形態では、オペレーターが検出器のラベルを編集し追加的なメタデータを提供できるグリッド表示において、追加的な列を示す拡張画面を開くために選択可能である。別の可能な実施形態では、説明記述編集コントロール３３６は、ラベル３３０をテキスト入力フィールドに変換するように選択可能であり、それゆえオペレーターは、メタ情報を変更又はカルーセル表示１１６内に直接追加して、ラベル３３０によって表示されるようにすることができる。いくつかの実施形態は、コントロール３３８及び３４０を含む。コントロール３３８を選択して、全てのプロトコル間で設定をリンクすることができる。このような設定の例としては、電圧、利得、及びディスクリミネータの設定が挙げられる。ひとたびリンクされると、あるプロトコルの設定に対してなされた変更は、全ての他のプロトコルの設定にも影響を与える。コントロール３４０は、全てのプロトコル間で補正値をリンクするように選択することができる。ひとたびリンクされると、あるプロトコルにおいて補正に対してなされた変更は、全ての他のプロトコルの補正にも影響を与える。
【００９１】
図９は、設定モードで動作し、完成されたワークリストを含む、図７に示される例示的なユーザーインターフェース１１４の別の概略図である。図７のように、例示的な計器インターフェース１１２は、カルーセルインターフェース表示領域３０２、取得データ表示領域３０４、及び計器コントロール領域３０６を含む。
【００９２】
この実施例は、カルーセルインターフェース表示領域３０２におけるワークリストの生成後の計器インターフェース１１２を図示している。ワークリストは、カルーセル表示１１６及びデータ仕様グリッド３２０の両方に表示され、これらは、試料がカルーセル１０４上で容器位置３２４１、３２４２、及び３２４３に設けられることを示す。加えて、３つの容器位置３２４の各々について、プロトコルが選択されている。第１のプロトコル（「プロトコルＡ」）は、容器位置３２４１に割り当てられ、第２のプロトコル（「プロトコルＢ」）は、容器位置３２４２及び３２４３に割り当てられる。加えて、メタ情報を含む試料ＩＤがラベル３３０に表示され、容器位置３２４１は「試料Ａ」（ラベル３３０１）を含み、容器位置３２４２は「試料Ｂ」（ラベル３３０２）を含み、容器位置３２４３は試料Ｃ」（ラベル３３０３）を含むことを示す。更に、容器位置３２４１は、第１のプロトコルと関連付けられた第１の色によって示され、容器位置３２４２及び３２４３は、第２のプロトコルと関連付けられた第２の色によって示される。容器位置３２４２及び３２４３の共通色は、それらが同じプロトコルに割り当てられていること、及びそれらが互いにリンクされていることも示している。このリンクは、データ仕様グリッド３２０内のリンクアイコン３４２の存在によっても示されている。
【００９３】
この実施例はまた、例示的なハードウェアインターフェース領域３４４を図示している。ハードウェア領域は、容器位置３２４のプロトコルを定義又は修正するためにオペレーターが使用できるインターフェースの一例である。この実施例では、プロトコルは、ディスクリミネータオプション、粒径オプション、減光フィルタを含めるオプション、並びに様々な使用可能な検出器及び検出器設定から選択するオプション等を含むハードウェア構成オプションを含む。いくつかの実施形態では、異なる波長（例えば、４８８ｎｍ、６３８ｎｍ、及び４０５ｎｍ）の光を検出するように動作する検出器を含む、複数の検出器が使用可能である。検出器の設定の例としては、特定の検出器が有効であるか、検出モード（例えば、面積、高さ、又は幅（「ＡＨＷ」））、電圧、及び利得が挙げられる。
【００９４】
ワークリストが完成された後、次にオペレーターは、計器コントロール領域３０６内のコントロールを利用して、運転モード２８４を開始し（図６）、１つ又は２つ以上の試料のデータ取得及び分析を開始する。一例として、オペレーターは、コントロール３１０を選択して、運転モード２８４及びワークリストに基づく取得を開始する。
【００９５】
オペレーターがただ１つの試料のみを処理することを希望する場合、オペレーターは、代わりに単一取得コントロール３１２を使用できる。例えば、オペレーターは、処理対象として容器位置３２４１を選択する。その後、容器位置３２４１が原点３２６に配置されるように、カルーセル表示１１６が回転する。次に、オペレーターは、単一取得コントロール３１２を選択して、運転モード２８４（図６）、及び選択された容器位置３２４１に割り当てられたプロトコル（プロトコルＡ）による単一の試料の処理を開始する。
【００９６】
運転モード２８４の開始後、計器インターフェースエンジン１１２（図５）は、計器１０２と通信して、カルーセルインターフェース表示領域３０２内で定義された取得を遂行する。例えば、カルーセル位置調節エンジン２６６は、試料容器１９０が試料取入システム１５６によってアクセス可能になるように、第１の容器位置１８４（例えば、１８４１、図３）が配置されている出発位置にカルーセル１０４を回転するように制御電子機器１５５に命令する。プロトコル命令エンジン２６８は、試料に対して遂行されるプロトコルを定義し、プロトコルに従った試料の分析について教える命令を計器１０２に提供する。データが計器１０２によって生成されるにつれて、それは、取得データフィード収集器２７０に伝達される。データは、取得データ表示エンジン２６２によって使用されて、取得データ表示領域３０４において１つ又は２つ以上のデータ表示を生成する。
【００９７】
図１０〜１１は、図６に示される運転モード２８４で動作しているときのユーザーインターフェース１１４の実施例を図示している。
【００９８】
図１０は、計器インターフェース１１２が運転モード２８４（図６）で動作しているときの、計器インターフェース１１２の実施例を図示する概略図である。計器インターフェース１１２は、カルーセルインターフェース表示領域３０２、取得データ表示領域３０４、及び計器コントロール領域３０６を含む。
【００９９】
運転モード２８４で動作しているとき、カルーセルインターフェース表示領域３０２は、取得の現在の状態を表示するように動作する一方、計器インターフェースエンジン１１２は、ワークリストに定義された命令に従って取得を遂行するように計器１０２を制御するように動作する。
【０１００】
例えば、いくつかの実施形態では、カルーセル表示１１６は、試料搭載領域１０７内のカルーセル１０４の現在の位置を示す。図１０に示される実施例では、カルーセル表示１１６は、原点３２６に位置付けられた容器位置３２４３を示し、容器位置１８４３（図３）にある試料容器は、現在、試料取入システム１５６（図２）によってアクセスされ得る原点にあることを示している。計器１０２がカルーセル１０４を回転させると、カルーセル表示１１６も回転して、試料搭載領域１０７内のカルーセル１０４の現在の配置を示す。
【０１０１】
いくつかの実施形態では、容器位置３２４は、進捗インジケータとして動作する。例えば、容器位置１８４３からの試料が処理されるにつれて、計器インターフェースエンジン１１２は、進捗の百分率の見積もり（例えば、現在の試料について完了した処理の割合）を生成し、進捗の百分率を図形的に描画する進捗インジケータを容器位置１８４３に生成する。一例として、図形的描画は、容器位置３２４を横切って延在し、線の高さが進捗の百分率に対応する水平線を含み、線は、処理の開始時に容器位置３２４の頂部にあり（０％完了）、処理が約５０％完了すると半分下がり、処理の終了時には底部にある（１００％完了）。いくつかの実施形態では、線と、容器位置３２４の頂部又は底部との間の間隔は、容器位置３２４の残部とは異なる色で塗りつぶされている。いくつかの実施形態では、進捗インジケータは、例えば、容器位置から排出されているか、又はその中へ充填されている液体の外見を有する。あるいは、進捗インジケータは、回転され、上下逆さ又は横向き等、同じ情報を伝達するために他の実施形態で所望されるような任意の他の方向へ進んでもよい。進捗インジケータの他の例としては、速度計状の表示、時形状の表示、円を満たすまでに膨張する点、完了時に円を形成する回転する図形、又は様々な他の可能な進捗インジケータが挙げられる。
【０１０２】
いくつかの実施形態では、試料の処理が完了した後、容器位置３２４は、完了アイコンを含むように更新される。完了アイコンの例は、容器位置３２４１及び３２４２内に示されているような照合印である。加えて、いくつかの実施形態は、データ仕様グリッド３２０内に、ワークリスト処理の状態を示す状態列を含んでいる。この実施例では、状態列は、試料が処理された後では照合印等の完了アイコンを含み、試料が処理待ちである場合は空白であり、現在計器１０２によって分析されている試料を特定するための、矢印又は右向き三角形等の現在の試料のインジケータを含む。
【０１０３】
試料が分析されているとき、その試料について取得されたデータは、１つ又は２つ以上のデータ表示３０８において、取得データ表示領域３０４内に表示される。
【０１０４】
運転モード２８４で動作するとき、計器コントロール領域３０６は、取得コントロール３１０及び３１２を取り除き、一時停止コントロール３５２、中止コントロール３５４、再開コントロール３５６、及び試料アクセスコントロール３５８を含めるように変化する。一時停止コントロール３５２及び中止コントロール３５４は、それぞれ、計器インターフェースエンジン１１２（図５）に取得を一時停止又は中止させるために選択可能である。再開コントロール３５６は、計器インターフェースエンジン１１２に現在取得中の試料の処理を再開させるために選択可能である。試料アクセスコントロール３５８は、計器インターフェースエンジン１１２に取得を一時停止させ、試料搭載領域１０７のカバー１４６（図２）をロック解除させ、それによってオペレーターがカルーセル１０４、試料容器１９０、及びそこに収容されている試料にアクセスできるようにするために選択可能である。
【０１０５】
いくつかの実施形態は、カルーセルインターフェース表示領域３０２に関連付けられた拡張コントロール３６０を含む。拡張コントロール３６０を選択すると、ユーザーインターフェース１１４は、図１１に示されるような拡張表示モードに転換される。
【０１０６】
図１１は、拡張表示モードで動作するカルーセルインターフェース表示領域３０２を含む例示的なユーザーインターフェース１１４を図示する概略図である。この実施例では、カルーセルインターフェース表示領域３０２は、カルーセル表示１１６及びデータ仕様グリッド３２０を含む。
【０１０７】
拡張表示モードは、カルーセル表示１１６を拡張して、それが表示デバイス１１０のウィンドウ又は閲覧面の少なくとも大部分を占有するようにする（少なくとも１つの次元において）。拡張画面は、オペレーターが、取得の状態をそれが進捗していく中で容易に眺めること等、カルーセル表示１１６をより容易に閲覧することを可能にする。更に、拡張画面は、オペレーターが計算デバイス１０６からより遠くに移動することを可能にし得る一方で、オペレーターがその遠隔位置から取得の状態を監視し続けることを可能にする。
【０１０８】
いくつかの実施形態では、拡張表示は、図１０に示されるもの等の非拡張構成時におけるカルーセル表示１１６よりもサイズが大きいカルーセル表示１１６を含む。
【０１０９】
図１２は、カルーセル表示１１６の別の実施例を図示する概略図である。この実施例では、カルーセル表示１１６は、カルーセル１０４（図３）の図形的表現、並びに試料容器及びそこに含まれる試料の図形的表現を含む。この実施例では、カルーセル表示１１６は、カルーセルの等尺性図形的表現を含んでいる。少なくとも２つの実施形態は、図１２に示されるような、カルーセルの３次元図形的表現を含む。
【０１１０】
上記の様々な実施形態は、実例としてのみ提供され、本明細書に添付の特許請求の範囲を制限するものと解釈されるべきではない。当業者は、本明細書に説明及び記載された例示の実施形態及び適用例に従わずに、かつ次の特許請求の範囲の真の趣旨及び範囲から逸脱することなく行うことができる様々な修正及び変更を容易に認識するだろう。
【図１】
2017513023.tif 000003
【図２】
2017513023.tif 000004
【図３】
2017513023.tif 000005
【図４】
2017513023.tif 000006
【図５】
2017513023.tif 000007
【図６】
2017513023.tif 000008
【図７】
2017513023.tif 000009
【図８】
2017513023.tif 000010
【図９】
2017513023.tif 000011
【図１０】
2017513023.tif 000012
【図１１】
2017513023.tif 000013
【図１２】
2017513023.tif 000014
【国際調査報告】
2017513023.tif 000015
2017513023.tif 000016